【手続補正書】
【提出日】平成23年3月30日(2011.3.30)
【手続補正１】
【補正対象書類名】特許請求の範囲
【補正対象項目名】全文
【補正方法】変更
【補正の内容】
【特許請求の範囲】
【請求項１】
映像制御装置であって、
それぞれが制御信号線を有する複数の接続手段と、
ユーザの指示に応じて前記複数の接続手段の１つを選択する選択手段と、
前記選択手段によって選択された接続手段に接続された外部接続機器からアクセス可能な記憶手段であって、該外部接続機器がデータを前記映像制御装置に出力するための通信に必要な認証情報を記憶する記憶手段と、
前記選択手段によって選択された接続手段が有する前記制御信号線を制御し、該接続手段に接続された外部接続機器に対し、前記記憶手段へのアクセスを含む通信初期化処理を開始するように通知する制御手段と
を有し、
前記制御手段は、前記選択手段によって選択された接続手段の変更を検出すると、該変更によって新たに選択された接続手段が有する前記制御信号線の電位を予め定められた時間オフレベルに維持した後、オンレベルとなるように制御することにより、前記新たに選択された接続手段に接続された外部接続機器に対して前記通知を行う
ことを特徴とする映像制御装置。
【請求項２】
前記映像制御装置に関する情報を表すデータが記憶される機器情報記憶手段をさらに有し、
前記制御手段は、
前記選択手段によって選択された接続手段に接続された外部接続機器からの要求に応じて、前記映像制御装置に関する情報を表すデータが最終データまで該外部接続機器に送信されたと判定したら、前記選択手段に選択された接続手段の変更有無を検出し、
前記選択手段によって選択された接続手段の変更を検出したら、該変更によって新たに選択された接続手段に含まれる前記制御信号線の電位を前記予め定められた時間オフレベルに維持した後、オンレベルとなるように制御することにより、前記通知を行う
ことを特徴とする請求項１に記載の映像制御装置。
【請求項３】
前記制御手段は、
前記選択手段によって選択された接続手段に接続された外部接続機器から前記記憶手段へのアクセスが要求されたら前記選択手段に選択された接続手段の変更有無を検出し、
前記選択手段によって選択された接続手段の変更を検出したら、該変更によって新たに選択された接続手段に含まれる前記制御信号線の電位を前記予め定められた時間オフレベルに維持した後、オンレベルとなるように制御することにより、前記通知を行う
ことを特徴とする請求項１に記載の映像制御装置。
【請求項４】
前記予め定められた時間は、少なくとも１００ｍｓｅｃであることを特徴とする請求項１乃至請求項３のいずれか１項に記載の映像制御装置。
【請求項５】
それぞれが制御信号線を有する複数の接続手段と、
ユーザの指示に応じて前記複数の接続手段の１つを選択する選択手段と、
を備えた映像制御装置の制御方法であって、
制御手段が、前記選択手段によって選択された接続手段の変更を検出すると、該変更によって新たに選択された接続手段が有する前記制御信号線を制御し、該接続手段に接続された外部接続機器に対し、通信初期化処理を開始するように通知する制御ステップと、を有し、
前記通信初期化処理は、前記選択手段によって選択された接続手段に接続された外部接続機器からアクセス可能な記憶手段であって、該外部接続機器がデータを前記映像制御装置に出力するための通信に必要な認証情報を記憶する前記映像制御装置の記憶手段へのアクセスを含み、
前記制御ステップにおいて前記制御手段は、前記新たに選択された接続手段が有する前記制御信号線の電位を、予め定められた時間オフレベルに維持した後、オンレベルとなるように制御することにより、前記新たに選択された接続手段に接続された外部接続機器に対して前記通知を行う
ことを特徴とする映像制御装置の制御方法。
【請求項６】
前記映像制御装置が、前記映像制御装置に関する情報を表すデータが記憶される機器情報記憶手段をさらに有し、
前記制御ステップにおいて前記制御手段は、
前記選択手段によって選択された接続手段に接続された外部接続機器からの要求に応じて、前記映像制御装置に関する情報を表すデータが最終データまで該外部接続機器に送信されたと判定したら、前記選択手段によって選択された接続手段の変更有無を検出し、
前記選択手段によって選択された接続手段の変更を検出したら、該変更によって新たに選択された接続手段に含まれる前記制御信号線の電位を前記予め定められた時間オフレベルに維持した後、オンレベルとなるように制御することにより、前記通知を行う
ことを特徴とする請求項５に記載の映像制御装置の制御方法。
【請求項７】
前記制御ステップにおいて前記制御手段は、
前記選択手段によって選択された接続手段に接続された外部接続機器から前記記憶手段へのアクセスが要求されたら前記選択手段に選択された接続手段の変更有無を検出し、
前記選択手段によって選択された接続手段の変更を検出したら、該変更によって新たに選択された接続手段に含まれる前記制御信号線の電位を前記予め定められた時間オフレベルに維持した後、オンレベルとなるように制御することにより、前記通知を行う
ことを特徴とする請求項５に記載の映像制御装置の制御方法。
【請求項８】
前記予め定められた時間は、少なくとも１００ｍｓｅｃであることを特徴とする請求項５乃至請求項７のいずれか１項に記載の映像制御装置の制御方法。
【請求項９】
コンピュータを請求項１乃至請求項４のいずれか１項に記載の映像制御装置の各手段として機能させるためのプログラム。
【手続補正２】
【補正対象書類名】明細書
【補正対象項目名】００１８
【補正方法】変更
【補正の内容】
【００１８】
上述した課題は、映像制御装置であって、それぞれが制御信号線を有する複数の接続手段と、ユーザの指示に応じて複数の接続手段の１つを選択する選択手段と、選択手段によって選択された接続手段に接続された外部接続機器からアクセス可能な記憶手段であって、外部接続機器がデータを映像制御装置に出力するための通信に必要な認証情報を記憶する記憶手段と、選択手段によって選択された接続手段が有する制御信号線を制御し、接続手段に接続された外部接続機器に対し、記憶手段へのアクセスを含む通信初期化処理を開始するように通知する制御手段とを有し、制御手段は、選択手段によって選択された接続手段の変更を検出すると、変更によって新たに選択された接続手段が有する制御信号線の電位を予め定められた時間オフレベルに維持した後、オンレベルとなるように制御することにより、新たに選択された接続手段に接続された外部接続機器に対して通知を行うことを特徴とする映像制御装置、によって解決される。
【手続補正３】
【補正対象書類名】明細書
【補正対象項目名】００１９
【補正方法】変更
【補正の内容】
【００１９】
また、上述の課題は、それぞれが制御信号線を有する複数の接続手段と、ユーザの指示に応じて複数の接続手段の１つを選択する選択手段と、を備えた映像制御装置の制御方法であって、制御手段が、選択手段によって選択された接続手段の変更を検出すると、変更によって新たに選択された接続手段が有する制御信号線を制御し、接続手段に接続された外部接続機器に対し、通信初期化処理を開始するように通知する制御ステップと、を有し、通信初期化処理は、選択手段によって選択された接続手段に接続された外部接続機器からアクセス可能な記憶手段であって、外部接続機器がデータを映像制御装置に出力するための通信に必要な認証情報を記憶する映像制御装置の記憶手段へのアクセスを含み、制御ステップにおいて制御手段は、新たに選択された接続手段が有する制御信号線の電位を、予め定められた時間オフレベルに維持した後、オンレベルとなるように制御することにより、新たに選択された接続手段に接続された外部接続機器に対して通知を行うことを特徴とする映像制御装置の制御方法、によっても解決される。
【手続補正４】
【補正対象書類名】明細書
【補正対象項目名】００２５
【補正方法】変更
【補正の内容】
【００２５】
ユーザがリモコン２００を操作し、外部入力端子をＨＤＭＩポート１０３からＨＤＭＩポート１０４へと切り替える指示を入力したとする。これにより、図示されない制御部は、後述するセレクタ１０７を、ＨＤＭＩポート１０４を選択するように制御する。これにより、選択される機器を外部接続機器１０１から外部接続機器１０２へと切り替える。すると、表示部２０２に対する表示が、外部接続機器１０１から出力された映像データによる映像から外部接続機器１０２から出力された映像データによる映像へと切り替わる。